(57)【特許請求の範囲】
【請求項１】
筐体と、
前記筐体を開閉するオープンパネルと、
前記筐体に収納され、塵埃を収容するダストボックスと、を備え、
前記オープンパネルの裏面には、前記オープンパネルが閉じた状態で前記ダストボックスの側に突出し、前記オープンパネルが閉じるときに所定の収納位置から取り外されたダストボックスを押し込むリブが複数設けられ、
前記ダストボックスが所定の収納位置に収納され、かつ前記オープンパネルが閉じた状態で、前記リブと前記ダストボックスとの間に隙間が形成されていることを特徴とする空気調和機。
【請求項２】
筐体と、
前記筐体を開閉するオープンパネルと、
前記筐体に収納され、塵埃を収容するダストボックスと、を備え、
前記筐体は凸部を有し、
前記オープンパネルは前記オープンパネルが閉じた状態で前記凸部に係止する爪を有し、
前記オープンパネルの裏面には、前記オープンパネルが閉じた状態で前記ダストボックスの側に突出するリブが複数設けられ、
前記ダストボックスが所定の収納位置に収納され、かつ前記オープンパネルが閉じた状態で、前記リブと前記ダストボックスとの間に隙間が形成されており、
前記隙間は、前記オープンパネルが閉じるときに、前記爪が前記凸部を乗り越える衝撃が前記オープンパネルを介して前記リブに伝わることにより、前記リブが前記ダストボックスを押し込むことができる距離であることを特徴とする空気調和機。
【請求項３】
筐体と、
前記筐体を開閉するオープンパネルと、
前記筐体に収納され、塵埃を収容するダストボックスと、を備え、
前記筐体は凸部を有し、
前記オープンパネルは前記オープンパネルが閉じた状態で前記凸部に係止する爪を有し、
前記オープンパネルの裏面には、前記オープンパネルが閉じた状態で前記ダストボックスの側に突出するリブが複数設けられ、
前記ダストボックスが所定の収納位置に収納され、かつ前記オープンパネルが閉じた状態で、前記リブと前記ダストボックスとの間に隙間が形成されており、
前記リブは、少なくとも、前記ダストボックスとの間の隙間が第１隙間である第１リブと、前記ダストボックスとの間の隙間が前記第１隙間より小さい第２隙間である第２リブとを含み、
前記第２隙間は、前記オープンパネルが閉じるときに、前記爪が前記凸部を乗り越える衝撃が前記オープンパネルを介して前記第２リブに伝わることにより、前記第２リブが前記ダストボックスを押し込むことができる距離であることを特徴とする空気調和機。
【請求項４】
前記リブは前記ダストボックスに対向する面が十字状に形成されていることを特徴とする請求項１から３のいずれか１項に記載の空気調和機。
【請求項５】
前記リブは前記ダストボックスに対向する面が枠状に形成されていることを特徴とする請求項１から３のいずれか１項に記載の空気調和機。
【請求項６】
前記リブは前記ダストボックスと対向する曲面を有していることを特徴とする請求項１から３のいずれか１項に記載の空気調和機。
【発明の詳細な説明】
【技術分野】
【０００１】
本発明は、オープンパネルの裏面にリブが設けられた空気調和機に関する。
【背景技術】
【０００２】
室内の気温、湿度、および空気清浄度等を調節する空気調和機の室内機は、フィルタを備えている。フィルタは、室内機が吸入する空気から塵埃を捕集し、室内熱交換器および室内ファンに塵埃が付着することを防止する。従って、フィルタは、室内機の内部を清潔に保ち、室内に向けて送風する空気の清潔さを維持するために重要である。
【０００３】
但し、フィルタに捕集された塵埃は、堆積が進むと、フィルタを目詰まりさせ、空気調和機を通る空気の流量を減少させるため、熱交換の性能を低下させる。そこで、近年では、フィルタの性能低下により確実に対処するため、フィルタの自動清掃が可能な空気調和機が開発されている。当該空気調和機では、フィルタはブラシによって自動清掃され、清掃後の塵埃がダストボックスの内部に集められる。
【０００４】
これに伴い、フィルタの自動清掃が可能な空気調和機の構成についても、様々な工夫がなされている。一例として、特許文献１には、フィルタの自動清掃が可能な空気調和機において、室内機をコンパクト化するための構成が開示されている。
【先行技術文献】
【特許文献】
【０００５】
【特許文献１】特開２０１２−１０２９８２号公報（２０１２年５月３１日公開）
【発明の概要】
【発明が解決しようとする課題】
【０００６】
一般的に、ダストボックスは、着脱自在な部材としてオープンパネルの内側に設けられている。このため、ダストボックスの内部に蓄積された塵埃の量が多くなった場合には、ユーザはオープンパネルを開き、ダストボックスをキャビネット内の所定の収納位置から取り外すことができる。続いて、ユーザはダストボックス内の塵埃を捨てた後に、当該ダストボックスを収納位置に再び取り付けることができる。そして、ユーザがオープンパネルを閉じることにより、ダストボックスの再装着が完了する。
【０００７】
なお、一部の空気調和機では、ダストボックスの再装着をより確実に行うために、オープンパネルの裏面（背面）には、ダストボックスを収納位置に押し込むガイド部材であるリブが設けられている。一般的に、従来の空気調和機では、オープンパネルを閉じた状態において、リブはダストボックスと接触するように設けられている。
【０００８】
ここで、オープンパネルが閉じた状態において、空気調和機に強い衝撃が与えられた状況を考える。例えば、梱包された状態の壁掛け型の空気調和機が、輸送時に落下し、床または地面に衝突した場合を考える。このような場合、衝撃の影響を受けて、リブと接触しているダストボックスから、当該リブに強い力が印加されるため、リブが破損してしまう（折れてしまう）可能性がある。
【０００９】
このため、従来の空気調和機において、リブが破損した場合には、空気調和機のオープンパネルを閉じる動作に伴って、リブによってダストボックスを所定の収納位置に押し込むことができなくなってしまう。従って、ダストボックスが正しい収納位置に再装着できず、空気調和機の適切な運転を継続できない（例：空気調和機の運転時にエラーまたは異音等の不具合が発生してしまう）という問題が生じる。
【００１０】
しかしながら、特許文献１では、オープンパネルの裏面に設けられたリブの破損を防止するための具体的な構成については、何ら開示も示唆もされていない。本発明は、上記の問題点に鑑みてなされたものであり、その目的は、空気調和機において、オープンパネルの裏面に設けられたリブの破損を従来よりも確実に防止することにある。
【課題を解決するための手段】
【００１１】
上記の課題を解決するために、本発明の一態様に係る空気調和機は、筐体と、前記筐体を開閉するオープンパネルと、前記筐体に収納され、塵埃を収容するダストボックスと、を備え、前記オープンパネルの裏面には、前記オープンパネルが閉じた状態で前記ダストボックスの側に突出し、前記オープンパネルが閉じるときに所定の収納位置から取り外されたダストボックスを押し込むリブが複数設けられ、前記ダストボックスが所定の収納位置に設置され、かつ前記オープンパネルが閉じた状態で、前記リブと前記ダストボックスとの間に隙間が形成されている。
【発明の効果】
【００１２】
本発明の一態様に係る空気調和機によれば、オープンパネルの裏面に設けられたリブの破損を従来よりも確実に防止することが可能となるという効果を奏する。
【図面の簡単な説明】
【００１３】
【図１】（ａ）および（ｂ）はそれぞれ、本発明の実施形態１に係る空気調和機の背面に設けられるリブとダストボックスとの位置関係を示す断面図である。
【図２】（ａ）は、図１の（ａ）における領域Ｄ１の拡大図であり、（ｂ）は、図１の（ｂ）における領域Ｄ２の拡大図である。
【図３】本発明の実施形態１に係る空気調和機の外観を示す斜視図であって、（ａ）はオープンパネルが閉じた状態を示す図であり、（ｂ）はオープンパネルが開いた状態を示す図である。
【図４】（ａ）はオープンパネルの裏面を示す斜視図であり、（ｂ）はオープンパネルの裏面を示す平面図であり、（ｃ）は、（ｂ）においてダストボックスをさらに図示した平面図である。
【図５】係合部と空気調和機のキャビネットとの位置関係を示す、オープンパネルの断面図である。
【図６】（ａ）は本発明の実施形態２に係る空気調和機の裏面に設けられるリブとダストボックスとの位置関係を示す断面図であり、（ｂ）は、当該リブの斜視図である。
【図７】（ａ）は本発明の実施形態２に係る空気調和機の裏面に設けられる別のリブとダストボックスとの位置関係を示す断面図であり、（ｂ）は、当該リブの斜視図である。
【図８】（ａ）は本発明の実施形態３に係る空気調和機のダストボックスの表面に保護フィルムが貼り付けられる直前の様子を示す斜視図であり、（ｂ）はダストボックスの表面に保護フィルムが貼り付けられた後の様子を示す斜視図である。
【図９】（ａ）は本発明の実施形態３に係る空気調和機の裏面に設けられるリブとダストボックスおよび保護フィルムとの位置関係を示す断面図であり、（ｂ）は、当該リブの斜視図である。
【発明を実施するための形態】
【００１４】
〔実施形態１〕
以下、本発明の実施形態１について、図１〜図５に基づいて詳細に説明する。はじめに、図３および図４を参照して、本実施形態の空気調和機１の概略的な構成について述べる。なお、以下に述べる図３に示すように、本実施形態では、室内機と室外機とからなるセパレートタイプの壁掛け型空気調和機の室内機である空気調和機１を例示して説明を行う。
【００１５】
図３は、空気調和機１の外観を示す斜視図であって、（ａ）は以下に述べるオープンパネル２が閉じた状態を示す図であり、（ｂ）はオープンパネル２が開いた状態を示す図である。また、図４の（ａ）はオープンパネル２の裏面を示す斜視図であり、（ｂ）はオープンパネル２の裏面を示す平面図であり、（ｃ）は、（ｂ）において以下に述べるダストボックス５をさらに図示した平面図である。
【００１６】
なお、図３および図４には、空気調和機１の様々な部材が示されているが、本実施形態とは関係しない部材については説明を省略する。これらの説明を省略する部材は、公知のものと同様であると理解されてよい。
【００１７】
（空気調和機１）
上述のように、空気調和機１は、室外機が別に設けられた分離型の室内機に相当し、かつ、図３に示されるように壁掛け型に属する。但し、本発明の一態様に係る空気調和機は、天井内据え付け型でもよいし、床置き型でもよいし、室外機を有しない室内専用機型（窓取付型エアコン等）でもよい。
【００１８】
図３の（ａ）に示されるように、空気調和機１は、外側の構成部材として、オープンパネル２および気流パネル３を備えている。なお、オープンパネル２および気流パネル３は、空気調和機１のキャビネット４（筐体）に開閉可能に支持されている。
【００１９】
なお、図３の（ａ）において、壁面に据え付けた空気調和機１を前面（正面）から見て、天井側を上、床側を下とし、さらに空気調和機１の長手方向を左右方向とする。従って、上下方向は、長手方向と交差する方向である。以降の説明において、上下左右の方向は、上記のように定義された方向を示すものとする。また、空気調和機１の前面から背面（裏面）に向かう方向を、奥行き方向と称する。
【００２０】
オープンパネル２は、空気調和機１の前面を開閉する部材である。オープンパネル２は、ユーザによって手動で開閉可能である。気流パネル３は、室内へ吹き出す気流の流路である。気流パネル３は、空気調和機１の運転状態に応じて、空気調和機１内の制御装置によって開閉が制御される。また、空気調和機１では、格子状の空気吸入口が上面に設けられている。空気吸入口全体の概略的な開口形状は長手方向に沿った細長い長方形状である。
【００２１】
なお、ユーザからの操作指示を受け付けるリモートコントローラから射出される赤外線等の光線を受光する受光部、およびユーザからの指示音声を受け付けるマイク等の音声入力部などの入力部がキャビネット４に備えられていてもよい。また、ユーザに対して各種の情報を通知するための通知部（例：表示部またはランプ）、およびスピーカ等の音声出力部も、キャビネット４に備えられていてもよい。
【００２２】
そして、図３の（ｂ）に示されるように、空気調和機１の内側には、ダストボックス５が設けられている。より具体的には、空気調和機１の内側には、左側および右側のそれぞれに、合計２つのダストボックス５が設けられている。但し、ダストボックス５の個数は特に限定されない。
【００２３】
ダストボックス５は、モータによって駆動されるブラシが、自動清掃によってフィルタから掻き落とした塵埃を収容する部材である。ダストボックス５は、空気調和機１内の所定の収納位置（凹状の収納スペース）に収納されている。また、ダストボックス５は、空気調和機１に対して着脱自在である。 
【００２４】
ダストボックス５の内部に蓄積された塵埃の量が多くなった場合には、ユーザはオープンパネル２を開き、ダストボックス５を収納位置から取り外すことができる。続いて、ユーザはダストボックス５の内部の塵埃を捨てた後に、当該ダストボックス５を収納位置に再び取り付けることができる。そして、ユーザがオープンパネル２を閉じることにより、ダストボックス５の再装着が完了する。
【００２５】
さらに、図４の（ａ）〜（ｃ）に示されるように、オープンパネル２の裏面には、爪２０、リブ２１ａ（後述する第１リブ）、およびリブ２１ｂ（後述する第２リブ）が設けられている。爪２０は、オープンパネル２を確実に閉じるために、オープンパネル２と空気調和機１のキャビネット４との係止を実現するための部材である。また、以下に詳述するように、リブ２１ａ・２１ｂは、ダストボックス５の再装着をより確実に行うための部材である。
【００２６】
リブ２１ａ・２１ｂは、オープンパネル２を閉じた状態において、奥行き方向に（すなわち、ダストボックス５の側に）突出しているとともに、上下方向に伸展している。より具体的には、リブ２１ａ・２１ｂの対向面（ダストボックス５と対向する面）の幅は一定であり、当該リブ２１ａ・２１ｂの側面は、上方から下方に向かうにつれて、オープンパネル２の裏面から対向面までの長さが短くなるテーパ形状として形成されている。
【００２７】
リブ２１ａ・２１ｂは、上下方向については、オープンパネル２の中央からやや下側に設けられている。そして、オープンパネル２の左右の端部付近には、リブ２１ａがそれぞれ設けられている。また、オープンパネル２の中央付近にも、２つのリブ２１ａが設けられている。また、オープンパネル２の中央付近からやや左側およびやや右側には、リブ２１ｂがそれぞれ設けられている。
【００２８】
但し、以下に述べるように、空気調和機１において、リブの個数は上記に限定されず、複数（２つ以上）であればよい。また、リブの配置および形状も、リブをガイド部材として機能させることが可能である限りは特に限定されない。なお、リブの形状のバリエーションについては、後述の実施形態２および３において説明する。
【００２９】
（リブ２１ａ・２１ｂ）
続いて、リブ２１ａ・２１ｂの具体的な構成について、図１および図５を参照し、より詳細に説明する。
【００３０】
図１の（ａ）は、リブ２１ａとダストボックス５との位置関係を示す、オープンパネル２の断面図である。具体的には、図１の（ａ）は、オープンパネル２の左または右の端部付近における、上下方向の断面図である。また、図１の（ｂ）は、リブ２１ｂとダストボックス５との位置関係を示す、オープンパネル２の断面図である。具体的には、図１の（ｂ）は、オープンパネル２の中央付近からやや左側およびやや右側における、上下方向の断面図である。
【００３１】
また、図５は、爪２０と空気調和機１のキャビネット４との位置関係を示す、オープンパネル２の上下方向の断面図である。なお、図１および図５において、オープンパネル２は閉じた状態である。
【００３２】
図５に示されるように、オープンパネル２を閉じる場合には、爪２０が、空気調和機１のキャビネット４に設けられた凸部４５を乗り越えるようにして、オープンパネル２と空気調和機１のキャビネット４との係止が行われる。従って、爪２０は、凸部４５を乗り越えるための弾性を有するように設計されている。 
【００３３】
ユーザがオープンパネル２を閉じる操作を行う場合には、爪２０に凸部４５を乗り越えさせるようにオープンパネル２を閉じることが必要である。そして、爪２０が、空気調和機１のキャビネット４に設けられた凸部４５を乗り越えるときの衝撃が、オープンパネル２を伝わって、リブ２１ａ・２１ｂに達する。
【００３４】
そして、オープンパネル２からの衝撃を受けて、リブ２１ａ・２１ｂのうち、後述するようにダストボックス５との隙間が小さいリブ２１ｂの先端が、ダストボックス５の先端を弾いて収納位置に押し込む（収納スペースの最深部へとガイドする）ガイド部材として機能する。このため、ユーザがダストボックス５の再装着を行う場合には、ユーザはダストボックス５を収納位置の手前に配置した状態（ダストボックスの先端を収納スペースから突出させた状態）で、オープンパネル２を閉じる操作を行えばよい。
【００３５】
このように、リブ２１ａ・２１ｂが設けられることによって、ダストボックス５を所定の収納位置（正しい収納位置）に確実に再装着することができる。従って、ユーザがダストボックス５を手で持ち上げながら、当該ダストボックス５を収納位置に再装着することが困難である場合（例えば、空気調和機１がやや高い位置に設けられている場合）にも、ダストボックス５の再装着を容易にユーザに行わせることが可能となる。
【００３６】
また、図１（後述の図２も参照）に示されるように、空気調和機１では、オープンパネル２が閉じた状態において、（ｉ）リブ２１ａとダストボックス５との間、および、（ｉｉ）リブ２１ｂとダストボックス５との間に、隙間（クリアランス）がそれぞれ形成されるように、リブ２１ａおよびリブ２１ｂが配置されている。
【００３７】
このため、上述のようにダストボックス５を再装着するためにオープンパネル２を閉じて以降は、オープンパネル２が閉じた状態において、リブ２１ａ・２１ｂはいずれもダストボックス５と接触しない。オープンパネル２が閉じた状態において、リブ２１ａ・２１ｂとダストボックス５との間に隙間を形成することの利点は、主に以下の２点である。
【００３８】
（利点１）：オープンパネルが閉じた状態において、空気調和機に強い衝撃が与えられた状況を考える。当該状況の一例としては、上述のように、梱包された状態の壁掛け型の空気調和機が、輸送時に落下し、床または地面に衝突した場合が挙げられる。また、当該状況の別の例としては、床置き型の空気調和機にボール等の物体が衝突した場合が挙げられる。
【００３９】
上述のように、従来の空気調和機では、オープンパネルが閉じた状態において、リブとダストボックスとが接触している（リブとダストボックスとの間に隙間が形成されていない）ため、衝撃の影響を受けてリブが破損してしまう可能性があるという問題があった。
【００４０】
他方、本実施形態の空気調和機１では、オープンパネル２が閉じた状態において、リブ２１ａ・２１ｂとダストボックス５との間に隙間が形成されているため、空気調和機１に衝撃が与えられた場合であっても、ダストボックス５とリブ２１ａ・２１ｂとが接触しない限りは、ダストボックス５からリブ２１ａ・２１ｂに力は印加されない。
【００４１】
また、ダストボックス５とリブ２１ａ・２１ｂとが接触した場合であっても、従来の空気調和機に比べて、ダストボックス５からリブ２１ａ・２１ｂに印加される力を十分に低減することができる。このように、空気調和機１によれば、空気調和機１に衝撃が与えられた場合にも、リブ２１ａ・２１ｂの破損を防ぐことができる。
【００４２】
（利点２）：一般的に、空気調和機を輸送する時には、当該空気調和機は、オープンパネルが閉じた状態でパッケージされる。そして、上述のように、従来の空気調和機では、オープンパネルが閉じた状態において、リブがダストボックスと接触しているため、輸送時の振動がリブに伝達される。このため、当該リブが振動することにより、ダストボックスに反復的に力が印加される。その結果、輸送時にダストボックスが破損してしまう可能性がある。
【００４３】
他方、本実施形態の空気調和機１では、上述の通り、オープンパネル２が閉じた状態において、リブ２１ａ・２１ｂはダストボックス５と接触していない。従って、空気調和機１の輸送時にリブ２１ａ・２１ｂが振動したとしても、リブ２１ａ・２１ｂの振動によってダストボックス５には力が印加されない。このように、空気調和機１によれば、輸送時にダストボックス５が破損する可能性を低減することもできる。
【００４４】
（第１隙間および第２隙間）
加えて、図１の（ａ）および（ｂ）に示されているように、空気調和機１では、（ｉ）リブ２１ａとダストボックス５との隙間（第１隙間）と、（ｉｉ）リブ２１ｂとダストボックス５との隙間（第２隙間）との寸法が異なるように、リブ２１ａおよびリブ２１ｂが設けられている。
【００４５】
図２の（ａ）は、図１の（ａ）における領域Ｄ１の拡大図である。図２の（ａ）に示されるように、第１隙間の寸法は３ｍｍである。また、図２の（ｂ）は、図１の（ｂ）における領域Ｄ２の拡大図である。図２の（ｂ）に示されるように、第２隙間の寸法は０．９ｍｍである。
【００４６】
このように、空気調和機１では、第１隙間の寸法が第２隙間の寸法よりも大きい。以下、第１隙間（より大きい隙間）を形成するリブ２１ａを、第１リブと称する。また、第１隙間より小さい第２隙間（より小さい隙間）を形成するリブ２１ｂを、第２リブと称する。
【００４７】
第１リブであるリブ２１ａは、ダストボックス５の再装着を目的として、ユーザがオープンパネル２を閉じた場合に、収納スペースから突出したダストボックス５を途中まで押し込むガイド部材として機能する。また、第２リブであるリブ２１ｂは、ダストボックス５を最後まで（収納スペースの最深部）まで押し込むガイド部材として機能する。
【００４８】
従って、ダストボックス５は、当初はリブ２１ａ・２１ｂ（第１リブおよび第２リブ）の両方によって収納スペースの内側に押し込まれる。これにより、ダストボックス５を効果的に収納スペースの内側に押しこむことができる。
【００４９】
続いて、リブ２１ａ（第１リブ）がダストボックス５と接触しない程度まで、ダストボックス５が収納スペースの内側に押し込まれると、ダストボックス５は、リブ２１ｂ（第２リブ）のみによって収納スペースの最深部まで押し込まれる。リブ２１ｂが設けられることにより、ダストボックス５を確実に所定の収納位置に再装着することができる。
【００５０】
なお、オープンパネル２が閉じた状態において、空気調和機に強い衝撃が与えられた場合には、リブとダストボックス５との隙間が大きいほど、当該リブの破損をより確実に防止することができる。
【００５１】
従って、リブの破損をより確実に防止するためには、より多くのリブをリブ２１ａ（第１リブ）として設けることが好ましい。従って、リブ２１ｂ（第２リブ）の個数は、必要最小限（ダストボックス５を確実に収納スペースの最深部まで押し込める程度）、すなわち、爪２０が凸部４５を乗り越える衝撃がオープンパネル２を介してリブ２１ｂに伝わることにより、リブ２１ｂがダストボックス５を押し込むことができる距離とすることが好ましい。
【００５２】
なお、第１隙間および第２隙間の寸法は図２に示された値に限定されず、リブ２１ａ・２１ｂをガイド部材（第１リブおよび第２リブ）として機能させることが可能な値であればよい。すなわち、リブとダストボックスとの間の隙間の寸法は、空気調和機１の形状、設置場所、およびサイズ等に応じて、空気調和機１の設計者によって適宜設定されてよい。また、ダストボックス５との隙間がリブ２１ａ・２１ｂとは異なるリブが、さらにオープンパネル２に設けられていてもよい。このようなリブとして、例えば、ダストボックス５との隙間が第１隙間と第２隙間との中間の隙間であるようなリブが設けられる。
【００５３】
また、リブの先端に丸みをもたせるようにしてもよい。なお、この点は、本実施形態のリブ２１ａ・２１ｂに限らず、以降の各実施形態において述べるリブ２２・２３・３１についても同様である。
【００５４】
また、より確実なリブの破損防止を考慮しない場合は、オープンパネル２に設けられるリブが全てリブ２１ｂであってもよい。
【００５５】
（空気調和機１の効果）
以上のように、本実施形態の空気調和機１では、オープンパネル２が閉じた状態において、当該オープンパネル２の裏面に複数設けられたリブ（リブ２１ａ・２１ｂ）とダストボックス５との間に隙間が形成されている。それゆえ、上述の通り、リブの破損を従来よりも確実に防止することが可能となる。
【００５６】
加えて、空気調和機１では、上記リブとして、ダストボックス５との隙間の寸法がそれぞれ異なる第１リブ（リブ２１ａ）および第２リブ（リブ２１ｂ）が設けられている。それゆえ、上述の通り、リブの破損をさらに確実に防止するとともに、ダストボックス５の再装着を容易化することも可能となる。
【００５７】
〔実施形態２〕
本発明の実施形態２について、図６および図７に基づいて説明すれば、以下の通りである。なお、説明の便宜上、上記実施形態にて説明した部材と同じ機能を有する部材については、同じ符号を付記し、その説明を省略する。
【００５８】
上述の通り、空気調和機１において、オープンパネル２の背面に設けられるリブの形状は、実施形態１のリブ２１ａ・２１ｂの形状のみに限定されなくともよい。本実施形態では、上記リブの形状のバリエーションについて述べる。
【００５９】
なお、リブ２１ａ・２１ｂとの区別のため、本実施形態において示す２種類のリブを、リブ２２・２３とそれぞれ称する。本実施形態の空気調和機１は、実施形態１のリブ２１ａ・２１ｂの少なくともいずれかを、リブ２２・２３の少なくともいずれかによって置き換えたものである。すなわち、リブ２２・２３は、上述の第１リブまたは第２リブの少なくともいずれかとして用いられてよい。
【００６０】
（リブ２２）
図６において、（ａ）はリブ２２とダストボックス５との位置関係を示す断面図であり、（ｂ）は、リブ２２の斜視図である。なお、図６の（ａ）において、オープンパネル２は閉じた状態である。図６の（ａ）に示されるように、オープンパネル２が閉じた状態において、リブ２２とダストボックス５との間には、隙間が形成されている。
【００６１】
リブ２２は、奥行き方向に突出しているとともに、上下方向に伸展しているという点ではリブ２１ａ・２１ｂと同様であるが、上下方向の中央付近に、長手方向に突出する突出部が形成されているという点において、リブ２１ａ・２１ｂと異なる。換言すれば、リブ２２は、対向面（ダストボックス５と対向するリブの面）が十字状として形成されている点において、リブ２１ａ・２１ｂと異なる。
【００６２】
リブ２２では、十字状の対向面が、上述のガイド部材として機能する。このため、リブ２３によってダストボックス５を押し込む場合に、長手方向に突出する突出部がダストボックスと接触する。従って、当該突出部とダストボックス５との摩擦により、リブ２３によってダストボックス５を押し込む場合のダストボックスの長手方向（左右方向）のずれを防止することができる。
【００６３】
また、当該突出部は、リブ２２の機械的強度を向上させるための補強部材としても機能する。従って、リブ２２によれば、リブ２１ａ・２１ｂに比べて、リブの破損をさらに確実に防止することも可能となる。
【００６４】
（リブ２３）
図７において、（ａ）はリブ２３とダストボックス５との位置関係を示す断面図であり、（ｂ）は、リブ２３の斜視図である。なお、図７の（ａ）において、オープンパネル２は閉じた状態である。図７の（ａ）に示されるように、オープンパネル２が閉じた状態において、リブ２３とダストボックス５との間には、隙間が形成されている。
【００６５】
リブ２３は、奥行き方向に突出しているとともに、上下方向に伸展しているという点ではリブ２１ａ〜２２と同様であるが、対向面が矩形状の外枠として形成されている（枠状に形成されている）という点において、リブ２１ａ〜２２と異なる。なお、外枠の形状は矩形に限定されず、楕円または任意の閉曲線等の他の形状であってもよい。
【００６６】
リブ２３では、矩形状の外枠が、上述のガイド部材として機能する。このため、リブ２３によってダストボックス５を押し込む場合に、リブ２３とダストボックス５との接触面積を、リブ２１ａ〜２２に比べてさらに大きくすることができる。
【００６７】
従って、リブ２３を採用することにより、ダストボックス５の再装着時に、ユーザがオープンパネル２を閉じるために必要な力を低減することができる。換言すれば、リブ２３の押し込み性を向上させることができる。
【００６８】
また、リブ２３では、奥行き方向とは逆方向に窪んだ凹部（空洞）が、矩形状の外枠の内側に形成されている。この凹部が設けられることにより、リブ２３の押し込み性の向上を目的として、比較的サイズの大きい外枠を設けた場合であっても、リブ２３を製造するための原材料の量を節約することができる。
【００６９】
〔実施形態３〕
本発明の実施形態３について、図８および図９に基づいて説明すれば、以下の通りである。本実施形態では、空気調和機１におけるリブの形状のさらなるバリエーションについて述べる。
【００７０】
なお、上述の各実施形態のリブとの区別のため、本実施形態のリブを、リブ３１と称する。本実施形態の空気調和機１は、上述のリブ２１ａ〜２３のうちの１種類を、リブ３１によって置き換えたものである。すなわち、リブ３１は、上述の第１リブまたは第２リブの少なくともいずれかとして用いられてよい。
【００７１】
ところで、空気調和機１では、ダストボックス５をより確実に保護するために、保護フィルム３０が当該ダストボックス５の表面（前面）に貼り付けられる場合がある。図８の（ａ）は、ダストボックス５の表面に保護フィルム３０が貼り付けられる直前の様子を示す斜視図である。また、図８の（ｂ）は、ダストボックス５の表面に保護フィルム３０が貼り付けられた後の様子を示す斜視図である。以下、本実施形態では、図８の構成を前提として説明を行う。但し、保護フィルム３０は、必ずしもダストボックス５の表面に貼り付けられなくともよい。
【００７２】
（リブ３１）
図９において、（ａ）はリブ３１とダストボックス５との位置関係を示す断面図であり、（ｂ）は、リブ３１の斜視図である。なお、図９の（ａ）において、オープンパネル２は閉じた状態である。図９の（ａ）に示されるように、オープンパネル２が閉じた状態において、リブ３１とダストボックス５および保護フィルム３０との間に隙間が形成されている。
【００７３】
リブ３１は、奥行き方向に突出しているとともに、上下方向に伸展しているという点ではリブ２１ａ〜２３と同様であるが、対向面が曲面として形成されているという点において、リブ２１ａ〜２３と異なる。すなわち、リブ３１は、対向面が丸みを帯びたリブである。
【００７４】
対向面が丸みを帯びたリブ３１をガイド部材として使用することにより、リブ３１によってダストボックス５を押し込む場合に、対向面の接触によってダストボックス５および保護フィルム３０が損傷してしまう可能性を低減することができる。すなわち、ダストボックス５を、より確実に保護することが可能となる。
【００７５】
〔まとめ〕
本発明の態様１に係る空気調和機１は、筐体（キャビネット４）と、前記筐体を開閉するオープンパネル２と、前記筐体に収納され、塵埃を収容するダストボックス５と、を備え、前記オープンパネル２の裏面には、前記オープンパネル２が閉じた状態で前記ダストボックス５の側に突出するリブ２１ａ・２１ｂ・２２・２３・３１が複数設けられ、前記ダストボックス５が所定の収納位置に収納され、かつ前記オープンパネル２が閉じた状態で、前記リブ２１ａ・２１ｂ・２２・２３・３１と前記ダストボックス５との間に隙間が形成されている。
【００７６】
上記の構成によれば、リブ２１ａ・２１ｂ・２２・２３・３１とダストボックス５との間に隙間が形成されているので、空気調和機１が受けた衝撃や振動によってリブ２１ａ・２１ｂ・２２・２３・３１がダストボックス５と衝突することを回避して、リブ２１ａ・２１ｂ・２２・２３・３１やダストボックス５の破損を防止することができる。リブ２１ａ・２１ｂ・２２・２３・３１の破損が防止されることにより、オープンパネル２を閉じたときにリブ２１ａ・２１ｂ・２２・２３・３１によるダストボックス５の押し込みを支障なく行うことができる。
【００７７】
本発明の態様２に係る空気調和機１は、上記態様１において、前記筐体は凸部４５を有し、前記オープンパネル２は前記オープンパネル２が閉じた状態で前記凸部４５に係止する爪２０を有し、前記隙間は、前記オープンパネル２が閉じるときに、前記爪２０が前記凸部４５を乗り越える衝撃が前記オープンパネル２を介して前記リブ２１ａ・２１ｂ・２２・２３・３１に伝わることにより、前記リブ２１ａ・２１ｂ・２２・２３・３１が前記ダストボックス５を押し込むことができる距離であってもよい。
【００７８】
上記の構成によれば、ダストボックス５を筐体に収納するとき、オープンパネル２を閉じると、リブ２１ａ・２１ｂ・２２・２３・３１によって、ダストボックス５が、ある程度押し込まれる。そして、爪２０が凸部４５を乗り越える衝撃がオープンパネル２を介してリブ２１ａ・２１ｂ・２２・２３・３１に伝わることにより、リブ２１ａ・２１ｂ・２２・２３・３１がダストボックス５を押し込むことができる。従って、ダストボックス５を収納位置に設置することができる。
【００７９】
本発明の態様３に係る空気調和機１は、上記態様１において、前記筐体は凸部４５を有し、前記オープンパネル２は前記オープンパネル２が閉じた状態で前記凸部４５に係止する爪２０を有し、前記リブ２１ａ・２１ｂ・２２・２３・３１は、少なくとも、前記ダストボックス５との間の隙間が第１隙間である第１リブ（リブ２１ａ）と、前記ダストボックス５との間の隙間が前記第１隙間より小さい第２隙間である第２リブ（リブ２１ｂ）とを含み、前記第２隙間は、前記オープンパネル２が閉じるときに、前記爪２０が前記凸部４５を乗り越える衝撃が前記オープンパネル２を介して前記第２リブに伝わることにより、前記第２リブが前記ダストボックス５を押し込むことができる距離であってもよい。
【００８０】
上記の構成によれば、ダストボックス５を筐体に収納するとき、オープンパネル２を閉じると、第１リブおよび第２リブによって、ダストボックス５が、ある程度押し込まれる。そして、爪２０が凸部４５を乗り越える衝撃がオープンパネル２を介して第２リブに伝わることにより、第２リブがダストボックス５を押し込むことができる。したがって、ダストボックス５を収納位置に設置することができる。また、第１リブは、ダストボックス５との間に、第２リブとダストボックス５との間の第２隙間より大きい第１隙間が形成されるので、空気調和機１に与えられる衝撃に対して第２リブより破損しにくい。また、第２リブを設けることによって、ダストボックス５を上記のように押し込むことができる。従って、より確実に破損しにくい第１リブと、ダストボックス５の押し込み効果の高い第２リブとを設けることにより、空気調和機１に強い衝撃が与えられた場合に、多くの第１リブが破損しない状態を維持できる一方、一部の第２リブが破損していなければ、ダストボックス５を収納位置に押し込むことができるので、ダストボックスの押し込み機能を確保しやすい。
【００８１】
本発明の態様４に係る空気調和機１は、上記態様１から３において、前記リブ２２は前記ダストボックス５に対向する面が十字状に形成されていてもよい。
【００８２】
上記の構成によれば、リブ２２によってダストボックス５を押し込む場合に、ダストボックス５に対向する面とダストボックスとの摩擦により、ダストボックス５の十字方向（一方向およびそれに直交する方向）のずれを防止することができる。また、リブ２２の機械的強度も向上する。
【００８３】
本発明の態様５に係る空気調和機１は、上記態様１から３において、前記リブ２３は前記ダストボックス５に対向する面が枠状に形成されていてもよい。
【００８４】
上記の構成によれば、リブ２３によってダストボックス５を押し込む場合に、ダストボックス５に対向する面とダストボックス５との接触面積をより多く確保することができる。これにより、ユーザがオープンパネル２を閉じるために必要な力を低減して、リブ２３の押し込み性を向上させることができる。また、リブ２３の機械的強度も向上する。
【００８５】
本発明の態様６に係る空気調和機１は、上記態様１から３において、前記リブ３１は前記ダストボックス５と対向する曲面を有していてもよい。
【００８６】
上記の構成によれば、リブ３１によってダストボックス５を押し込む場合に、対向面の接触によってダストボックス５が損傷してしまう可能性を低減することができる。すなわち、ダストボックス５を、より確実に保護することが可能となる。
【００８７】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８８】
１  空気調和機
２  オープンパネル
４  キャビネット（筐体）
５  ダストボックス
２０  爪
４５  凸部
２１ａ  リブ（第１リブ）
２１ｂ  リブ（第２リブ）
２２，２３，３１  リブ
【図１】
0006640589.tif 000002
【図２】
0006640589.tif 000003
【図３】
0006640589.tif 000004
【図４】
0006640589.tif 000005
【図５】
0006640589.tif 000006
【図６】
0006640589.tif 000007
【図７】
0006640589.tif 000008
【図８】
0006640589.tif 000009
【図９】
0006640589.tif 000010